(57)【要約】【課題】  ワイヤレス通信機器にマルチメディアの再生機能を持たせる実行モジュールとその方法を提供する。【解決手段】  本発明のワイヤレス通信機器においてマルチメディアを再生する実行モジュールとその方法は、動画データを取得するステップと、動画データの中の動画メッセージの1つに従って情報データを検索するステップと、情報データを実行するステップと、そして、そのようなステップは動画データの中の動画メッセージのすべてが実行されるまで繰り返されるステップが含まれている。それによりユーザーはワイヤレス通信機器で多様なマルチメディアの機能を再生することができるようにする。【選択図】  図１Ａ
2006180102.tif 000002
【特許請求の範囲】
【請求項１】
多数の動画メッセージを有する動画データを取得するステップと、
該動画メッセージの１つに従って多数の情報データを検索するステップと、
該情報データの実行をするステップと、
該動画メッセージのすべてが検索されるまで、該動画メッセージの１つに従って多数の情報データを検索して情報データを実行するステップを繰り返すステップとを有することを特徴とするワイヤレス通信機器におけるマルチメディアを再生する実行方法。
【請求項２】
さらに、動画メッセージを分析するステップを有することを特徴とする請求項１に記載のワイヤレス通信機器におけるマルチメディアを再生する実行方法。
【請求項３】
前記動画メッセージを分析するステップには、少なくとも１つの情報データインデックスメッセージを分析することと、少なくとも1つの情報データアドレスメッセージを分析することと、１つのタイミングメッセージを分析することとを含むことを特徴とする請求項２に記載のワイヤレス通信機器におけるマルチメディアを再生する実行方法。
【請求項４】
前記情報データインデックスメッセージを分析するステップには、画像インデックスメッセージとテキストインデックスメッセージを分析することが含まれ、且つ前記情報データアドレスメッセージを分析するステップには画像アドレスメッセージを分析することが含まれることを特徴とする請求項３に記載のワイヤレス通信機器におけるマルチメディアを再生する実行方法。
【請求項５】
前記画像インデックスメッセージを分析するステップには、少なくとも１つの画像インデックスを分析することが含まれ、前記画像アドレスメッセージを分析するステップには、少なくとも１つの画像アドレスを分析することが含まれ、該画像アドレスは画像インデックスの１つにそれぞれ対応していることを特徴とする請求項４に記載のワイヤレス通信機器におけるマルチメディアを再生する実行方法。
【請求項６】
前記情報データインデックスメッセージの１つが前記情報データアドレスメッセージの１つに対応していることを特徴とする請求項３に記載のワイヤレス通信機器におけるマルチメディアを再生する実行方法。
【請求項７】
さらにアプリケーションプログラムを用いて各ステップを実施することができることを特徴とする請求項１に記載のワイヤレス通信機器におけるマルチメディアを再生する実行方法。
【請求項８】
前記アプリケーションプログラムがＪａｖａ（登録商標）アプリケーションプログラムであることを特徴とする請求項７に記載のワイヤレス通信機器におけるマルチメディアを再生する実行方法。
【請求項９】
前記多数の動画メッセージを有する動画データを取得するステップには前記動画メッセージの総数と前記動画メッセージとを取得することが含まれることを特徴とする請求項１に記載のワイヤレス通信機器におけるマルチメディアを再生する実行方法。
【請求項１０】
前記動画メッセージの１つに従って多数の情報データを検索するステップには、少なくとも１つの画像と少なくとも１つのテキストを検索することが含まれることを特徴とする請求項１に記載のワイヤレス通信機器におけるマルチメディアを再生する実行方法。
【請求項１１】
前記動画メッセージの１つに従って多数の情報データを検索するステップが、さらに少なくとも１つの音声を検索するステップを有することを特徴とする請求項１０に記載のワイヤレス通信機器におけるマルチメディアを再生する実行方法。
【請求項１２】
ワイヤレス通信機器においてマルチメディアを再生する実行モジュールであって、
多数の動画メッセージを有した少なくとも１つの動画データと多数の情報データを保存するための保存モジュールと、 
該動画メッセージの１つを検索するための該保存モジュールに接続された検索モジュールと、
検索された動画メッセージの中の該動画メッセージを分析してその分析された動画メッセージに従って情報データを取得するための該検索モジュールに接続された比較モジュールと、
情報データを実行するための該比較モジュールに接続された、それにより動画を作成する実行モジュールと、
を含むことを特徴とするワイヤレス通信機器においてマルチメディアを再生する実行モジュール。
【請求項１３】
前記保存モジュールはネットワークからダウンロードされた動画データと情報データとを保存することを特徴とする請求項１２に記載のワイヤレス通信機器においてマルチメディアを再生する実行モジュール。
【請求項１４】
前記各情報データが１つの画像と、１つのテキストと、１つの音声とのうちのいずれかの１つであることを特徴とする請求項１２に記載のワイヤレス通信機器においてマルチメディアを再生する実行モジュール。
【発明の詳細な説明】
【技術分野】
【０００１】
本発明はワイヤレス通信機器においてマルチメディアを再生するための実行モジュールとその方法に関するもので、特に携帯電話やパーソナル・データ・アシスタント（ＰＤＡ）などのワイヤレス通信においてマルチメディアの再生を可能とし、それによりユーザーはワイヤレス通信によって語学学習や動画利用などの多様なマルチメディア機能を実行する。
【背景技術】
【０００２】
グローバルな通信と交通の発達により国際的なコミュニケーションの機会がますます増えてきた。従って、語学の技量がますます重要となってきている。
【０００３】
従来は、我々は語学を学校教育や個人指導授業を通して学習してきた。１人の教師にクラスの多数の学生を指導、教育する責任があった。従って、個々の学生と教師の間の双方向の対話は、効率的な学習を促進するには不十分であった。さらに、学生は特定の場所で授業に出席しなければならなかったため通学に多くの時間を費やすこととなる。授業料が高い場合もあり多くの人は金銭的にその授業を受けることができない。
【０００４】
現代の技術によって、より手頃な値段で学習を個人的に行えるようになってきている。すなわち、多数の語学コースをプログラムとして書き込むことができ、それをパソコンで再生することができる。従って、学生は個々の授業のために特定の場所に行き多額を費やすという必要がない。さらに重要なことは、授業はユーザーすなわち学習者が望むだけ何度でも繰り返すことができることである。
【０００５】
現在、多くの携帯の語学学習機器が開発されている。携帯性によりユーザーの利便性はさらに向上している。しかし教材は機器に事前に保存されているものに限られる。また、事前に保存されたより多くの教材プログラムを用いるには、フラッシュメモリーやディスクのような追加の記憶媒体が必要で、それを機器に挿入することになる。  
【０００６】
ワイヤレス技術によってユーザーはより便利に相互に通信を行うことができる。携帯電話やパーソナル・データ・アシスタンスなどのワイヤレス機器に語学学習用機能をインストールすることによって、ユーザーは事前に保存されているプログラムからだけでなく、電波を介して他のワイヤレス機器から学習することができるようになる。双方向性によって学習効果が改善されることがしばしばある。双方向の学習プログラムを動画で行うことができれば学習効率はさらに改善されるであろう。しかし、いかにしてマルチメディア機能をワイヤレス通信機器に組み込むかは現在のところまだ課題となっている。
【発明の開示】
【発明が解決しようとする課題】
【０００７】
上記の課題に鑑み、本発明は、ユーザーがいかなる場所においても動画の形式でプログラムを再生するためにワイヤレス通信機器を使用することができるように、ワイヤレス通信機器においてマルチメディアを再生するための実行モジュールとその方法、及びワイヤレス通信機器においてマルチメディアを再生するための、ネットワークを通じてマルチメディア情報をダウンロードすることができる実行モジュールとその方法を提供する。
【課題を解決するための手段】
【０００８】
以上のこと及びその他の特長を実現するために、本発明のワイヤレス通信機器においてマルチメディアの再生を実行する方法には、動画データを取得する、その動画データの１つの動画メッセージに従ってデータ検索を行う、検索情報データを実行する、その動画データのすべての動画メッセージが実行されるまで後者2つのステップを繰り返すというステップが含まれる。
【０００９】
ワイヤレス通信機器においてマルチメディアを再生するための実行方法にはさらにその動画メッセージを分析するステップが含まれる。
【００１０】
さらに、Ｊａｖａ（登録商標）アプリケーションプログラムなどのアプリケーションプログラムが、ワイヤレス通信機器においてマルチメディアを再生するための実行方法の各ステップの実行のために使用される。
【００１１】
別の面で見ると、ワイヤレス通信機器においてマルチメディアを再生するための実行モジュールには、動画データと情報データを保存するための保存モジュールであって各動画データが動画メッセージを含んでいるものと、動画データの中の動画メッセージの１つを検索するために保存モジュールに接続した検索モジュールと、検索された動画メッセージの中でその動画メッセージを分析しその分析された動画メッセージに従って情報データを取得するためにその検索モジュールに接続した比較モジュールと、動画を再生するためにその情報データを実行するための比較モジュールに接続した実行モジュールが含まれる。
【００１２】
さらに、マルチメディアを再生するための実行モジュールの保存モジュールは、１つの画像、１つのテキスト、１つの音声などの動画データや情報データを保存するために機能し、それらのデータすべてはワイヤレス通信機器によりネットワークからダウンロードされたものである。
【発明の効果】
【００１３】
本発明のワイヤレス通信機器においてマルチメディアを再生するための実行モジュールとその方法は、非常に小さい空間しか占めないため携帯電話やパーソナル・データ・アシスタンスなどのワイヤレス通信機器に応用でき、無制限に動画を作成し、動的な語学クラスを提供することができる。特に、本発明の実施例を用いたワイヤレス通信機器によって、ユーザーがいかなる時や場所においてもより安価で柔軟な形態によってオンラインで授業やレッスンを受けることが可能となる。
【発明を実施するための最良の形態】
【００１４】
以下、本発明の各実施例を添付の図面に関連して詳細に記述する。
【００１５】
図１Ａに示されるように、本発明のワイヤレス通信機器においてマルチメディアを再生する実行方法には、動画データを取得し（ステップ１０）、動画データの１つの動画メッセージに従って情報データを検索し（ステップ２０）、情報データを実行し（ステップ３０）、動画データのすべての動画メッセージが実行される（ステップ４０）まで１０と３０のステップが繰り返されるというステップが含まれている。
【００１６】
図１Ｂに示されるように、本発明のマルチメディアを再生する実行方法はさらに動画メッセージを分析するステップ（ステップ１２）を備えている。
【００１７】
前記情報データはテキスト、画像、音声から構成されている。
【００１８】
本発明のマルチメディアの再生のための実行方法はＪａｖａ（登録商標）アプリケーションプログラムなどのアプリケーションプログラム、あるいは同様な機能をもった別のプログラムによって行われる。
【００１９】
さらに具体的には、マルチメディア動画を再生中には、その代表的なフォーマットが図２Ａに示されている動画データ１００がまず取得される。その動画データ１００には、動画メッセージ１２０の数量を示す動画メッセージの総数１１０、と動画を再生するために対応している情報データを検索するための動画メッセージ１２０が含まれている。 
【００２０】
動画メッセージ１２０のフォーマットが図２Ｂに示されている。動画メッセージ１２０のそれぞれには、必要とされる情報データを決定するための情報データインデックスメッセージと、情報データの場所を特定するための情報データアドレスメッセージ１２４と、表示時間を決定するためのタイミングメッセージ１２６と、各メッセージの種類を分割するための第１の分割符号１２８が含まれている。該情報データインデックスメッセージには、画像インデックスメッセージ１２１ とテキストインデックスメッセージ １22が含まれている。
【００２１】
各情報データインデックスメッセージには、第２の分割符号１２９によって他のそれとは分割された少なくとも１つの情報データインデックスが含まれる。図２Ｃに示されるように、画像インデックスメッセージ１２１には、第２の分割符号１２９によって他のそれと分割された少なくとも１つの画像インデックス１２３が含まれている。
【００２２】
さらに、情報データアドレスメッセージには、第２の分割符号１２９によって他のそれとは分割された少なくとも１つの情報データアドレスが含まれる。図２Ｄを参照して下さい。この場合、情報データアドレスメッセージ１２４は、画像アドレスメッセージであり、該画像アドレスメッセージもまた第２の分割符号１２９によって他のそれとは分割された少なくとも１つの画像アドレス１２５を有する。
【００２３】
各情報データインデックスはそれぞれ対応する情報データアドレスを有する。同様に各画像インデックスはそれぞれ対応する画像アドレスを有する。
【００２４】
例えば、マルチメディア動画を表示中には、そのフォーマットが図３Ａに示される動画データ２００が取得される。動画データ２００には動画メッセージの総数２１０と多数の動画メッセージ２２０が含まれている。該実施例の場合、動画メッセージの総数２１０は「２９４」であり、且つ動画メッセージ２２０が４つあり、それぞれは動画データ２００の中にビット列により構成されている。
【００２５】
図３Ｂを示すように、第１の動画メッセージには画像インデックスメッセージ２２１、画像アドレスメッセージ２２４、テキストインデックスメッセージ２２２、タイミングメッセージ２２６、及び第１の分割符号２２８が含まれている。該第１の分割符号２２８は各種メッセージを分割するのに使用される。該画像インデックスメッセージ２２１は「１，３，４」であり、画像アドレスメッセージ２２４は「０，０，７０，６５，８２，８３」であり、テキストインデックスメッセージ２２２は「０」であり、それぞれの第１の分割符号２２８が「｜」である。画像インデックスメッセージ２２１の数値の「１」、「３」、「４」は画像インデックスであり、コンマ記号「，」は第２の分割符号である。画像アドレスメッセージ２２４の「０，０」、「７０，６５」、「８２，８３」は画像アドレスであり、同様に、これらの画像アドレスは第２の分割符号「，」によって相互に分割されている。各画像インデックスはそれぞれ対応する画像アドレスを有する。
【００２６】
上記の方法はワイヤレス通信機器においてマルチメディアを再生するための実行モジュールによって実施することが可能である。図４に示すように、本発明のワイヤレス通信機器においてマルチメディアの再生をするための実行モジュールには、動画データと情報データを保存するための保存モジュール３１０、保存モジュール３１０に接続した検索モジュール３２０、検索モジュール３２０に接続した比較モジュール３３０、比較モジュール３３０に接続した実行モジュール３４０が含まれる。動画データには多数の動画メッセージが含まれる。該検索モジュール３２０は保存モジュール３１０から動画データを検索することができる。該比較モジュール３３０は、動画メッセージに従って情報データを取得するために、検索モジュール３２０によって取得された動画データの中の動画メッセージを分析する。実行モジュール３４０は取得された情報データを実行し動画を作成する。
【００２７】
情報データには、テキスト、画像、音声などが含まれる。ワイヤレス通信機器は、動画データ、情報データ、あるいはその双方をネットワークからダウンロードし、ダウンロードされたデータを保存モジュールに保存する。従って、ワイヤレス通信機器は情報メッセージを実行することによってディスプレイ画面にマルチメディア動画をディスプレイすることができる。
【００２８】
本発明は特にその好ましい実施例が参考として示され説明されてきたが、技術において通常の習熟度を有する者には、その形態や詳細の色々な変更を添付の請求範囲により定義された本発明の意図や範囲から逸脱しないで行うことができるということは理解できることであろう。
【図面の簡単な説明】
【００２９】
【図１Ａ】本発明の実施例に従ってワイヤレス通信機器においてマルチメディアを再生するための実行方法を示したフローチャートである。
【図１Ｂ】本発明の別の実施例に従ってワイヤレス通信機器においてマルチメディアを再生するための実行方法を示したフローチャートである。
【図２Ａ】図１Ａと１Bにおける動画データのフォーマットの実施例を描いたものである。
【図２Ｂ】図2Ａにおける動画メッセージのフォーマットの実施例を描いたものである。
【図２Ｃ】図２Ｂにおける画像インデックスメッセージのフォーマットの実施例を描いたものである。
【図２Ｄ】図２Ｂにおける画像アドレスメッセージのフォーマットの実施例を描いたものである。
【図３Ａ】図１Ａと１Bにおける動画データのフォーマットの別の実施例を描いたものである。
【図３Ｂ】図３Ａにおける動画メッセージのフォーマットの別の実施例を描いたものである。
【図４】本発明の別の実施例に従ったワイヤレス通信機器においてマルチメディアを再生するための実行モジュールのブロック線図である。
【符号の説明】
【００３０】
１００、２００  動画データ
１１０、２１０  動画メッセージ総数
１２０、２２０  動画メッセージ
１２１、２２１  画像インデックスメッセージ
１２２、２２２  テキストインデックスメッセージ
１２３  画像インデックス
１２４  情報データアドレスメッセージ
２２４  画像アドレスメッセージ
１２５  画像アドレス
１２６、２２６  タイミングメッセージ
１２８、２２８第１の分割符号
１２９  第２の分割符号
３１０  保存モジュール
３２０  検索モジュール
３３０  比較モジュール
３４０  実行モジュール
【図１Ａ】
2006180102.tif 000003
【図１Ｂ】
2006180102.tif 000004
【図２Ａ】
2006180102.tif 000005
【図２Ｂ】
2006180102.tif 000006
【図２Ｃ】
2006180102.tif 000007
【図２Ｄ】
2006180102.tif 000008
【図３Ａ】
2006180102.tif 000009
【図３Ｂ】
2006180102.tif 000010
【図４】
2006180102.tif 000011